【手続補正書】
【提出日】令和1年5月16日(2019.5.16)
【手続補正１】
【補正対象書類名】明細書
【補正対象項目名】発明の名称
【補正方法】変更
【補正の内容】
【発明の名称】発光素子、発光装置、電子機器および照明装置
【手続補正２】
【補正対象書類名】特許請求の範囲
【補正対象項目名】全文
【補正方法】変更
【補正の内容】
【特許請求の範囲】
【請求項１】
発光層に、高分子材料と、ゲスト材料と、を有する発光素子であって、
前記高分子材料は、少なくとも、第１の高分子鎖と、第２の高分子鎖と、を有し、
前記ゲスト材料は、蛍光を呈することができる機能を有し、
前記第１の高分子鎖および前記第２の高分子鎖は、それぞれ、第１の骨格と、第２の骨格と、第３の骨格と、を有し、
前記第１の骨格と、前記第２の骨格とが、前記第３の骨格を介して結合し、
前記第１の骨格は、正孔を輸送することができる機能を有し、
前記第２の骨格は、電子を輸送することができる機能を有し、
前記高分子材料は、前記第１の高分子鎖と、前記第２の高分子鎖と、で励起錯体を形成する機能を有する、発光素子。
【請求項２】
発光層に、高分子材料と、ゲスト材料と、を有する発光素子であって、
前記高分子材料は、少なくとも、第１の高分子鎖と、第２の高分子鎖と、を有し、
前記ゲスト材料は、三重項励起エネルギーを発光に変換することができる機能を有し、
前記第１の高分子鎖および前記第２の高分子鎖は、それぞれ、第１の骨格と、第２の骨格と、第３の骨格と、を有し、
前記第１の骨格と、前記第２の骨格とが、前記第３の骨格を介して結合し、
前記第１の骨格は、正孔を輸送することができる機能を有し、
前記第２の骨格は、電子を輸送することができる機能を有し、
前記高分子材料は、前記第１の高分子鎖と、前記第２の高分子鎖と、で励起錯体を形成する機能を有する、発光素子。
【請求項３】
発光層に高分子材料を有する発光素子であって、
前記高分子材料は、少なくとも、第１の高分子鎖と、第２の高分子鎖と、を有し、
前記第１の高分子鎖および前記第２の高分子鎖は、それぞれ、第１の骨格と、第２の骨格と、第３の骨格と、第４の骨格と、を有し、
前記第１の骨格と、前記第２の骨格とが、前記第３の骨格を介して結合し、
前記第１の骨格は、正孔を輸送することができる機能を有し、
前記第２の骨格は、電子を輸送することができる機能を有し、
前記第４の骨格は、蛍光を呈することができる機能を有し、
前記高分子材料は、前記第１の高分子鎖と、前記第２の高分子鎖と、で励起錯体を形成する機能を有する、発光素子。
【請求項４】
発光層に高分子材料を有する発光素子であって、
前記高分子材料は、少なくとも、第１の高分子鎖と、第２の高分子鎖と、を有し、
前記第１の高分子鎖および前記第２の高分子鎖は、それぞれ、第１の骨格と、第２の骨格と、第３の骨格と、第４の骨格と、を有し、
前記第１の骨格と、前記第２の骨格とが、前記第３の骨格を介して結合し、
前記第１の骨格は、正孔を輸送することができる機能を有し、
前記第２の骨格は、電子を輸送することができる機能を有し、
前記第４の骨格は、三重項励起エネルギーを発光に変換することができる機能を有し、
前記高分子材料は、前記第１の高分子鎖と、前記第２の高分子鎖と、で励起錯体を形成する機能を有する、発光素子。
【請求項５】
発光層に、高分子材料と、ゲスト材料と、を有する発光素子であって、
前記高分子材料は、少なくとも、第１の高分子鎖と、第２の高分子鎖と、を有し、
前記ゲスト材料は、蛍光を呈することができる機能を有し、
前記第１の高分子鎖および前記第２の高分子鎖は、それぞれ、第１の骨格と、第２の骨格と、第３の骨格と、を有し、
前記第１の骨格と、前記第２の骨格とが、前記第３の骨格を介して結合し、
前記第１の骨格は、π電子過剰型複素芳香族骨格または芳香族アミン骨格の少なくとも一つを有し、
前記第２の骨格は、π電子不足型複素芳香族骨格を有し、
前記高分子材料は、前記第１の高分子鎖と、前記第２の高分子鎖と、で励起錯体を形成する機能を有する、発光素子。
【請求項６】
発光層に、高分子材料と、ゲスト材料と、を有する発光素子であって、
前記高分子材料は、少なくとも、第１の高分子鎖と、第２の高分子鎖と、を有し、
前記ゲスト材料は、三重項励起エネルギーを発光に変換することができる機能を有し、
前記第１の高分子鎖および前記第２の高分子鎖は、それぞれ、第１の骨格と、第２の骨格と、第３の骨格と、を有し、
前記第１の骨格と、前記第２の骨格とが、前記第３の骨格を介して結合し、
前記第１の骨格は、π電子過剰型複素芳香族骨格または芳香族アミン骨格の少なくとも一つを有し、
前記第２の骨格は、π電子不足型複素芳香族骨格を有し、
前記高分子材料は、前記第１の高分子鎖と、前記第２の高分子鎖と、で励起錯体を形成する機能を有する、発光素子。
【請求項７】
発光層に高分子材料を有する発光素子であって、
前記高分子材料は、少なくとも、第１の高分子鎖と、第２の高分子鎖と、を有し、
前記第１の高分子鎖および前記第２の高分子鎖は、それぞれ、第１の骨格と、第２の骨格と、第３の骨格と、第４の骨格と、を有し、
前記第１の骨格と、前記第２の骨格とが、前記第３の骨格を介して結合し、
前記第１の骨格は、π電子過剰型複素芳香族骨格または芳香族アミン骨格の少なくとも一つを有し、
前記第２の骨格は、π電子不足型複素芳香族骨格を有し、
前記第４の骨格は、蛍光を呈することができる機能を有し、
前記高分子材料は、前記第１の高分子鎖と、前記第２の高分子鎖と、で励起錯体を形成する機能を有する、発光素子。
【請求項８】
発光層に高分子材料を有する発光素子であって、
前記高分子材料は、少なくとも、第１の高分子鎖と、第２の高分子鎖と、を有し、
前記第１の高分子鎖および前記第２の高分子鎖は、それぞれ、第１の骨格と、第２の骨格と、第３の骨格と、第４の骨格と、を有し、
前記第１の骨格と、前記第２の骨格とが、前記第３の骨格を介して結合し、
前記第１の骨格は、π電子過剰型複素芳香族骨格または芳香族アミン骨格の少なくとも一つを有し、
前記第２の骨格は、π電子不足型複素芳香族骨格を有し、
前記第４の骨格は、三重項励起エネルギーを発光に変換することができる機能を有し、
前記高分子材料は、前記第１の高分子鎖と、前記第２の高分子鎖と、で励起錯体を形成する機能を有する、発光素子。
【請求項９】
請求項５乃至請求項８のいずれか一項において、
前記π電子過剰型複素芳香族骨格は、チオフェン骨格、フラン骨格、またはピロール骨格、の少なくとも一つを有する、
ことを特徴とする発光素子。
【請求項１０】
請求項５乃至請求項９のいずれか一項において、
前記π電子不足型複素芳香族骨格は、ピリジン骨格、ジアジン骨格、またはトリアジン骨格、の少なくとも一つを有する、発光素子。
【請求項１１】
請求項１乃至請求項１０のいずれか一項において、
前記第３の骨格は、ビフェニル骨格、またはフルオレン骨格、の少なくとも一つを有する、発光素子。
【請求項１２】
請求項１乃至請求項１１のいずれか一項において、
前記高分子材料は、前記第１の高分子鎖における前記第１の骨格と、前記第２の高分子鎖における前記第２の骨格と、で前記励起錯体を形成する機能を有する、発光素子。
【請求項１３】
請求項１乃至請求項１２のいずれか一項において、
前記励起錯体は、室温で熱活性化遅延蛍光を呈する機能を有する、発光素子。
【請求項１４】
請求項１乃至請求項１３のいずれか一項に記載の発光素子を有する発光装置。
【請求項１５】
請求項１乃至請求項１３のいずれか一項に記載の発光素子を有する電子機器。
【請求項１６】
請求項１乃至請求項１３のいずれか一項に記載の発光素子と、
筐体またはタッチセンサの少なくとも一方と、
を有する照明装置。